(57)【要約】      （修正有）【課題】捕虫機能を高める空気清浄機を提供する。【解決手段】空気清浄機１は、下面に下面吸込口１４が形成され、送風機２３が下面吸込口１４からフィルタユニット２２を経て吹出口１５へ向かう空気の流れを生じさせ、筐体２１の後面を取付対象物に当接させて取り付けられる。下面吸込口１４からフィルタユニット２２に至る空気の流れの経路に、表面に粘着面を有する粘着シートが設けられている。【選択図】図３
2017217981.tif 000002
【特許請求の範囲】
【請求項１】
空気吸込口、空気吹出口、送風機および空気清浄部を有し、前記送風機が前記空気吸込口から前記空気清浄部を経て前記空気吹出口へ向かう空気の流れを生じさせ、筐体の後面側を取付対象物に対向させて取り付けられる空気清浄機において、
前記空気吸込口から前記空気清浄部に至る前記空気の流れの経路に、表面に粘着面を有する捕虫部材が設けられ、
前記空気吸込口は、当該空気清浄機の下面に形成されていることを特徴とする空気清浄機。
【請求項２】
前記捕虫部材の下方に前記捕虫部材から落下した虫を受け止める虫受部を備えていることを特徴とする請求項１に記載の空気清浄機。
【請求項３】
前記空気吸込口から前記空気清浄部に至る前記空気の流れの経路に着脱自在に設けられた虫受部付基材を備え、
前記虫受部付基材は、下部に前記虫受部を有し、
前記捕虫部材は、表面に前記粘着面を有する粘着シートからなり、前記虫受部付基材の前記虫受部と同じ側の上部に貼り付けられていることを特徴とする請求項２に記載の空気清浄機。
【請求項４】
本体部と、
前記本体部に対して着脱自在に設けられた前蓋部とを備え、
前記空気吹出口、前記送風機および前記空気清浄部は前記本体部に設けられ、
前記空気吸込口は、前記本体部と前記前蓋部との間に設けられ、
前記虫受部付基材は、前記前蓋部の裏面に設けられていることを特徴とする請求項３に記載の空気清浄機。
【請求項５】
電源部として電池を備えていることを特徴とする請求項１から４のいずれか１項に記載の空気清浄機。
【請求項６】
前記空気吸込口は、さらに側面に形成されていることを特徴とする請求項１から５のいずれか１項に記載の空気清浄機。
【発明の詳細な説明】
【技術分野】
【０００１】
本発明は、例えば自動車の車内にて使用する空気清浄機に関するものである。
【背景技術】
【０００２】
近年、大気中にＰＭ（Particulate Matter: 粒子状物質）２．５等のホコリ状物質が含まれる気象状況が増え、健康被害を防止する意識の向上から、一般家庭において空気清浄機が多用されている。また、虫、特に蚊が媒介する感染症が増加しており、一般家庭等での捕虫器の要求も高まっている。この種の捕虫器としては、特許文献１〜４に開示された構成が知られている。
【０００３】
一方、利便性の観点から、特許文献５に示すように、捕虫機能を備えた空気清浄機が提案されている。
【先行技術文献】
【特許文献】
【０００４】
【特許文献１】特開２００６−２３０２５８号公報
【特許文献２】特開２００４−１０５０５８号公報
【特許文献３】特開平１１−１２７７５６２号公報
【特許文献４】特開平１０−２２７５０３号公報
【特許文献５】特開２００９−２５０４６３号公報
【発明の概要】
【発明が解決しようとする課題】
【０００５】
特許文献５に示されている空気清浄機は床置型である。これに対し、近年では、自動車の車内で使用する空気清浄機についても、同様に、空気清浄機能に加えて捕虫機能を備えることが求められている。このような空気清浄機は、一般家庭にて使用される床置型の空気清浄機と比べて小型のものとなり、小型である故に、床置型の空気清浄機よりも効率よく捕虫するための工夫が必要である。
【０００６】
したがって、本発明は、捕虫機能を備え、捕虫機能を高めることができる空気清浄機の提供を目的としている。
【課題を解決するための手段】
【０００７】
本発明の一態様における空気清浄機は、空気吸込口、空気吹出口、送風機および空気清浄部を有し、前記送風機が前記空気吸込口から前記空気清浄部を経て前記空気吹出口へ向かう空気の流れを生じさせ、筐体の後面側を取付対象物に対向させて取り付けられる空気清浄機において、前記空気吸込口から前記空気清浄部に至る前記空気の流れの経路に、表面に粘着面を有する捕虫部材が設けられ、前記空気吸込口は、当該空気清浄機の下面に形成されていることを特徴としている。
【発明の効果】
【０００８】
上記の構成によれば、蚊等の虫が侵入し易い下面に空気吸込口が形成されているので、高い捕虫機能を有するという効果を奏する。
【図面の簡単な説明】
【０００９】
【図１】図１の(ａ)は、本発明の実施形態の空気清浄機の外観を示す正面図、図１の(ｂ)は図１に示した空気清浄機の側面図、図１の（ｃ）は、図１に示した空気清浄機の背面図である。
【図２】図１に示した空気清浄機における前蓋部およびフィルタユニットを除去した状態の空気清浄機の本体部の斜視図である。
【図３】図３の(ａ)は、図１の(ａ)に示した空気清浄機における空気の流れを示す正面図、図３の(ｂ)は、上記空気清浄機の本体部が備える各部、および空気の流れを示す側面図である。
【図４】図４の(ａ)は図１に示した空気清浄機における前蓋部の表面の正面図、図４の(ｂ)は上記前蓋部の側面図、図４の(ｃ)は上記前蓋部の裏面の正面図である。
【図５】図１に示した空気清浄機を使用する自動車の平面図である。
【図６】図１に示した空気清浄機の自動車での使用状態を示す斜視図である。
【図７】図７の(ａ)は、本発明の他の実施形態の空気清浄機における前蓋部の裏面和場の構成、および前蓋部の裏面に設けられた虫受部付捕虫部材の構成を示す正面図、図７の(ｂ)は、図７の(ａ)におけるＡ−Ａ矢視断面図である。
【図８】図７の(ａ)(ｂ)に示した前蓋部の裏面の構成を示す正面図である。
【図９】図７の(ａ)(ｂ)に示した虫受部付捕虫部材の裏面の構成を示す正面図である。
【図１０】本発明のさらに他の実施形態の空気清浄機の外観を示す斜視図である。
【図１１】図１０に示した空気清浄機の構成を示すブロック図である。
【図１２】図１０に示した空気清浄機をヘッドレストの後に取り付けた場合の空気清浄機の動作を示す斜視図である。
【図１３】図１０に示した空気清浄機を運転席の左側のアームレストの助手席側の側面に取り付けた場合の空気清浄機の動作を示す斜視図である。
【図１４】本発明のさらに他の実施形態の空気清浄機の外観を示す斜視図である。
【図１５】図１４に示した空気清浄機を運転席の左側のアームレストの上に取り付けた場合の空気清浄機の動作を示す斜視図である。
【発明を実施するための形態】
【００１０】
〔実施の形態１〕
本発明の実施形態を図面に基づいて以下に説明する。図１の(ａ)は、本発明の実施形態の空気清浄機の外観を示す正面図、図１の(ｂ)は図１に示した空気清浄機の側面図、図１の（ｃ）は、図１に示した空気清浄機の背面図である。図２は、前蓋部およびフィルタユニットを除去した状態の、空気清浄機の本体部の斜視図である。図３の(ａ)は、図１の(ａ)に示した空気清浄機における空気の流れを示す正面図、図３の(ｂ)は、上記空気清浄機の本体部が備える各部、および空気の流れを示す側面図である。
【００１１】
以下の説明では、空気清浄機１の上下関係を吹出口１５が形成されている側を上、下面吸込口１４が形成されている側を下として説明する。
【００１２】
（空気清浄機の外観の概要）
図１の(ａ)〜(ｃ)に示すように、空気清浄機１は、扁平な長方形の箱形状の外観を有し、本体部１１と前蓋部１２とを備えている。前蓋部１２は、本体部１１に対して、左右の側部および下部に隙間を形成するように設けられている。これにより、空気清浄機１は、左右の側面に側面吸込口（空気吸込口）１３を有し、下面に下面吸込口（空気吸込口）１４を有している。一方、空気清浄機１は、上面に吹出口（空気吹出口）１５を有している。吹出口１５には回転可能、すなわち吹出口１５を開閉可能なルーバ１６が設けられている。
【００１３】
（本体部の構成）
本体部１１の筐体２１の前面位置には、図２に示すように、長方形の凹部となったフィルタ収納部２１ａが形成されている。フィルタ収納部２１ａの底部には、網が張られた格子枠２６が設けられている。フィルタ収納部２１ａには、図３の(ｂ)に示すように、フィルタユニット（空気清浄部）２２が収納されている。
【００１４】
フィルタユニット２２は、従来周知のものであり、例えば脱臭フィルタと集塵フィルタとを重ね合わせたものである。脱臭フィルタは空気中の臭い成分であるアセトアルデヒドやアンモニアや酢酸等を吸着する役割を果たす。集塵フィルタは、微細な塵埃を捕集する役割を果たす。フィルタユニット２２の前面には、矩形の格子形状をしたフィルタ押え枠２６が設けられている。
【００１５】
本体部１１の筐体２１の内部には、図３の(ｂ)に示すように、送風機２３、電池２４およびイオン発生装置２５が設けられている。
【００１６】
送風機２３は、回転翼２３ａと回転翼駆動モータ２３ｂとを備え、本体部１１の中央部付近に設けられている。送風機２３は、図３の(ａ)(ｂ)に示すように、側面吸込口１３および下面吸込口１４から吹出口１５への風の流れを生じさせる。
【００１７】
電池２４は、例えばリチウムイオン電池であり、送風機２３の下方位置、すなわち本体部１１の下部に設けられている。電池２４は相対的に重量が大きく、電池２４を下部に設けることにより、空気清浄機１は、縦置き状態において設置状態が安定となる。また、空気清浄機１は電源部として電池２４を備えていることにより、外部電源が不要である。したがって、空気清浄機１は、携帯可能であり、自動車の車内など、多様の場所に設置可能である。
【００１８】
イオン発生装置２５は、送風機２３から吹出口１５への風の流路における送風機２３の上方位置に設けられている。イオン発生装置２５は、従来周知の構成であり、例えば正負のイオンを発生し、発生したイオンを送風機２３から吹出口１５への風の流路へ放出する。これにより、吹出口１５から吹き出される空気は、正負のイオンによるウイルス除去機能および除菌機能を有する。
【００１９】
本体部１１におけるフィルタ収納部２１ａの上端の壁部の下面には、ＵＶランプ２７およびＵＶランプ駆動回路２８が設けられている。ＵＶランプ駆動回路２８は電池２４から電力供給を受けてＵＶランプ２７を駆動する。
【００２０】
（前蓋部の構成）
図４の(ａ)は前蓋部１２の表面の正面図、図４の(ｂ)は前蓋部１２の側面図、図４の(ｃ)は前蓋部１２の裏面の正面図である。
【００２１】
前蓋部１２は、図４の(ａ)〜(ｃ)に示すように、側面吸込口１３および下面吸込口１４に対応する部分を切り欠いた形状であり、本体部１１と所定の間隔をおいて本体部１１の前面を覆う形状となっている。
【００２２】
前蓋部１２の裏面には、粘着シート（捕虫部材）２９が貼り付けられている。粘着シート２９は、表面が粘着面となっており、粘着面により蚊などの虫を捕捉する捕虫機能を有する。粘着シート２９は、前蓋部１２の裏面の広い範囲にわたって貼り付けられている。粘着シート２９は前蓋部１２から剥がして捨てることができる。
【００２３】
前蓋部１２の上端部の左右の位置には、上方へ突出した挿入凸部４１が形成され、これら挿入凸部４１に対応して、本体部１１の筐体２１には、被挿入凹部２１ｂが形成されている。また、前蓋部１２の裏面の下部の左右の位置には、嵌合部４２が形成されている。これら嵌合部４２に対応して、本体部１１の筐体２１には、嵌合受部２１ｃが形成されている。
【００２４】
したがって、前蓋部１２を本体部１１に取り付けた状態において、前蓋部１２の挿入凸部４１は本体部１１の筐体２１の被挿入凹部２１ｂに挿入され、前蓋部１２の嵌合部４２は、本体部１１の筐体２１の嵌合受部２１ｃに嵌合された状態となる。これにより、前蓋部１２は本体部１１に固定される。本体部１１に前蓋部１２を取り付けた状態において、本体部１１（フィルタユニット２２）と前蓋部１２との間には空間部が形成されている。
【００２５】
（本体部の裏面の構成）
本体部１１の筐体２１の裏面には、図１の(ｂ)(ｃ)に示すように、ベルト取付部２１ｄが設けられている。ベルト取付部２１ｄは、筐体２１の裏面の左右の位置に設けられ、かつ上下２段に設けられている。左右のベルト取付部２１ｄは、空気清浄機１を取り付け対象物に固定するためのベルトを通す部分である。したがって、空気清浄機１は、上下に２本のベルトを使用して取り付けできるようになっている。
【００２６】
ベルト取付部２１ｄの下方の例えば左右位置には、ベルト取付部２１ｄと略同じ高さの当接凸部２１ｅが設けられている。当接凸部２１ｅは、空気清浄機１を取り付け対象物に取り付けた場合に、取り付け対象物に当接し、空気清浄機１の傾斜を防止するものである。
【００２７】
（空気清浄機の使用形態）
上記の構成において、空気清浄機１の使用形態について、以下に説明する。図５は、空気清浄機１を使用する自動車の平面図である。図６は、自動車における空気清浄機１の使用状態を示す斜視図である。
【００２８】
空気清浄機１は、図５および図６に示すように、自動車５１の座席５２のヘッドレスト（取付対象物）５３の後ろに取り付けて使用する。具体的には、例えば、ベルト取付部２１ｄに通したベルトをヘッドレスト５３のヘッドレストステー（ヘッドレスト５３からシートバックに延びているロッド部）に巻き付けて、空気清浄機１を固定する。
【００２９】
（空気清浄機の動作および利点）
次に、上述の使用形態における空気清浄機１の動作について説明する。空気清浄機１の吹出口１５を開放した状態において、電源スイッチ（図示せず）をオンにすると、回転翼駆動モータ２３ｂに駆動されて回転翼２３ａが回転し、ＵＶランプ２７が点灯する。これにより、側面吸込口１３および下面吸込口１４から、フィルタユニット２２、送風機２３、イオン発生装置２５および吹出口１５へ至る風の流れが生じる。したがって、吹出口１５からは、フィルタユニット２２により浄化され、イオン発生装置２５により正負のイオンが付与された空気が車内へ放出される。
【００３０】
また、空気清浄機１の近くに蚊等の虫が存在していた場合、虫は空気とともに側面吸込口１３および下面吸込口１４から前蓋部１２とフィルタユニット２２との間の空間部に取り込まれる。この場合、上記空間部に臨む、前蓋部１２の裏面には、粘着シート２９が設けられているので、虫は粘着シート２９と接触し易い。虫は、粘着シート２９と接触すると粘着シート２９により捕捉される。
【００３１】
ここで、空気清浄機１の下面は、外光や車内灯が照射され難いので暗くなっており、虫が寄り付き易い状態である。したがって、空気清浄機１の下面に下面吸込口１４を有している空気清浄機１は、下面吸込口１４から虫を取り込み易く、高い捕虫機能を有する。
【００３２】
また、空気清浄機１は、運転中に、虫に対する捕集機能を有するＵＶランプ２７が点灯するので、これによっても捕虫機能を高めることができる。
【００３３】
〔実施の形態２〕
本発明の他の実施形態を図面に基づいて以下に説明する。なお、説明の便宜上、前記実施形態にて説明した部材と同じ機能を有する部材については、同じ符号を付記し、その説明を省略する。
【００３４】
図７の(ａ)は、本発明の実施形態の空気清浄機２における前蓋部１２の裏面側の構成、および前蓋部１２の裏面に設けられた虫受部付捕虫部材６１の構成を示す正面図、図７の(ｂ)は、図７の(ａ)におけるＡ−Ａ矢視断面図である。図８は、図７の(ａ)(ｂ)に示した前蓋部１２の裏面の構成を示す正面図である。図９は、図７の(ａ)(ｂ)に示した虫受部付捕虫部材６１の裏面の構成を示す正面図である。
【００３５】
（虫受部付捕虫部材の構成）
図７の(ａ)(ｂ)に示すように、本実施形態の空気清浄機２は、前蓋部１２の裏面に虫受部付捕虫部材６１を備えている。虫受部付捕虫部材６１は、前記空気清浄機１の前蓋部１２の裏面に直接粘着シート２９（図４の(ｂ)参照）を貼り付けた構成に代わるものである。
【００３６】
虫受部付捕虫部材６１は、図９にも示すように、方形の板状の虫受部付基材６２の表面（前蓋部１２側とは反対側の面）に粘着シート２９を貼り付けたものである。虫受部付基材６２は、詳細には、下端部に虫受部６２ａを有し、虫受部６２ａの上の粘着シート貼付部６２ｂに粘着シート２９が貼り付けられている。虫受部６２ａは、例えば虫受部付基材６２を形成する板部材を折り曲げた容器形状を有し、粘着シート貼付部６２ｂは板状となっている。
【００３７】
なお、虫受部６２ａは、虫受部付基材６２を形成する板部材を折り曲げて形成した構成に限定されず、容器形状の別部材を粘着シート貼付部６２ｂの下端部に貼り付けた、あるいは取り付けた構成であってもよい。
【００３８】
虫受部付基材６２は、裏面（前蓋部１２側の面）の上部の左右位置、および下部の中央位置に、合計３個の取付鉤部６２ｃを有している。虫受部付基材６２の取付鉤部６２ｃに対応して、前蓋部１２の裏面には、合計３個の鉤部挿入部７１が形成されている。鉤部挿入部７１は、取付鉤部６２ｃが挿入され、かつ取付鉤部６２ｃを下方へ移動させることにより取付鉤部６２ｃを固定する。すなわち、虫受部付基材６２の取付鉤部６２ｃ、および前蓋部１２の鉤部挿入部７１により、虫受部付捕虫部材６１は前蓋部１２の裏面に、着脱自在に取り付けられている。なお、取付鉤部６２ｃおよび鉤部挿入部７１の数は３個に限定されず、必要に応じて適宜設定することができる。空気清浄機２の他の構成は、前述した空気清浄機１と同様である。
【００３９】
（空気清浄機の動作および利点）
空気清浄機２では、空気清浄機１と同様に、前蓋部１２とフィルタユニット２２との間の空間部に取り込まれた虫は、虫受部付捕虫部材６１の粘着シート２９に捕捉される。一方、粘着シート２９により捕捉された後、粘着シート２９から落下した虫は、虫受部６２ａにより受け止められ、虫受部６２ａに収容される。したがって、空気清浄機２を自動車５１の車内に取り付けた場合において、自動車５１の走行時の振動等により、虫が粘着シート２９から落下した場合であっても、落下した虫は空気清浄機２の例えば下面吸込口１４から空気清浄機２の外部（例えば床面）へこぼれ落ちることがない。
【００４０】
また、虫受部付捕虫部材６１は、前蓋部１２から容易に取り外して廃棄することができる。すなわち、虫受部付捕虫部材６１は例えばフィルタユニット２２の交換時期に合わせて、容易に交換することができ、利便性が良好である。
【００４１】
空気清浄機２の他の動作および機能は、空気清浄機１と同様である。
【００４２】
〔実施の形態３〕
本発明のさらに他の実施形態を図面に基づいて以下に説明する。なお、説明の便宜上、前記実施形態にて説明した部材と同じ機能を有する部材については、同じ符号を付記し、その説明を省略する。
【００４３】
図１０は本実施形態の空気清浄機３の外観を示す斜視図である。図１１は、図１０に示した空気清浄機３の構成を示すブロック図である。図１２は、空気清浄機３をヘッドレスト５３の後に取り付けた場合の空気清浄機３の動作を示す斜視図である。
【００４４】
（空気清浄機の構成）
図１０に示すように、空気清浄機３は、吹出口１５に設けられたルーバ８１がルーバ駆動モータ８２に駆動されて回転するようになっている。ルーバ８１は、空気清浄機３の幅方向と平行な方向に延びている。図１０の例では、ルーバ８１は２枚設けられている。但し、ルーバ８１の枚数は特に限定されない。このようなルーバ８１によれば、吹出口１５から出る風の方向を空気清浄機３の前後方向（前面方向から後面方向の間）の適当な方向に切り替えることができる。
【００４５】
ルーバ駆動モータ８２は、例えばステッピングモータからなり、回転動作が図１１に示す制御部８３により制御される。制御部８３は、ルーバ駆動モータ８２の他、ＵＶランプ駆動回路２８すなわちＵＶランプ２７の点灯動作、および回転翼駆動モータ２３ｂの回転動作を制御する。
【００４６】
また、空気清浄機３には、例えば本体部１１の側面に操作入力部８４が設けられていてもよい。操作入力部８４は、制御部８３と接続され、空気清浄機３に対する動作指示を手動操作にて入力する入力部である。また、空気清浄機３は、制御部８３と接続された受信部８５を備え、受信部８５が送信部としてのリモートコントローラ（以下、単にリモコンと称する）８６と通信する構成であってもよい。この場合、リモコン８６は、上記操作入力部８４として機能する。空気清浄機３の他の構成は、前述の空気清浄機１，２と同様である。
【００４７】
（空気清浄機の動作および利点）
上記の構成において、空気清浄機３は、図１２に示すように、例えばヘッドレスト５３の後ろに取り付けて使用する。この場合の空気清浄機３の配置は、図６に示した空気清浄機１の配置と同様である。
【００４８】
上記のような空気清浄機３の配置では、空気清浄機３は、ヘッドレスト５３の後部から自動車５１のハンドル５４方向への風の流れ９１を生じることができる。この場合の風の流れ９１の方向は、ルーバ駆動モータ８２を回転させてルーバ８１の角度を調整することにより設定することができる。
【００４９】
上記のように、空気清浄機３がヘッドレスト５３の後部からから自動車５１のハンドル５４方向への風の流れ９１を生じることにより、ハンドル５４を操作する運転手の手には、虫、特に蚊が近づき難くなる。また、上記の風の流れ９１によって形成される風のカーテンにより、運転手の周りには、虫、特に蚊が近づき難くなる。これにより、運転手が蚊に刺される事態を抑制することができる。空気清浄機３の他の機能は前述の空気清浄機１，２と同様である。
【００５０】
なお、ルーバ８１は所定の角度範囲において連続的に回転させることもできる。また、空気清浄機３の配置対象は、運転席に限定されず、運転席以外の座席であってもよい。この点は、他の実施形態および他の配置例についても同様である。
【００５１】
（空気清浄機の他の配置例）
図１３は、空気清浄機３を運転席の左側のアームレスト（取付対象物）５５の助手席側の側面に取り付けた場合の空気清浄機３の動作を示す斜視図である。
【００５２】
図１３に示すように、空気清浄機３は、運転席の左側のアームレスト５５の助手席側の側面に取り付けてもよい。このような使用形態を選択可能にする場合、本体部１１の裏面のベルト取付部２１ｄは、上下方向に並ぶ配置も追加しておく。すなわち、空気清浄機３は、上下方向に並ぶベルト取付部２１ｄに通したベルトによってアームレスト５５に取り付ける。
【００５３】
上記のような空気清浄機３の配置では、空気清浄機３は、運転席の左側から運転席の上方を通過して運転席の右側へ向かう風の流れ９１を生じることができる。この場合の風の流れ９１の方向は、同様に、ルーバ駆動モータ８２を回転させてルーバ８１の角度を調整することにより設定することができる。
【００５４】
空気清浄機３が上記のような風の流れ９１を生じることにより、運転手には、虫、特に蚊が近づき難くなる。これにより、運転手が蚊に刺される事態を抑制することができる。
【００５５】
〔実施の形態４〕
本発明のさらに他の実施形態を図面に基づいて以下に説明する。なお、説明の便宜上、前記実施形態にて説明した部材と同じ機能を有する部材については、同じ符号を付記し、その説明を省略する。
【００５６】
図１４は本実施形態の空気清浄機４の外観を示す斜視図である。図１５は、図１４に示した空気清浄機４を運転席の左側のアームレスト５５の上に取り付けた場合の空気清浄機４の動作を示す斜視図である。
【００５７】
（空気清浄機の構成）
図１４に示すように、空気清浄機４は、吹出口１５に設けられたルーバ９２がルーバ駆動モータ８２に駆動されて回転するようになっている。ルーバ９２は、空気清浄機４の幅方向と交差する方向（例えば直行する方向）に延びている。図１４の例では、ルーバ９２は例えば３枚設けられている。これらルーバ９２は同時に回転させることができる。但し、ルーバ９２の枚数は特に限定されない。このようなルーバ９２によれば、吹出口１５から出る風の方向を空気清浄機４の幅方向の適当な方向に切り替えることができる。
【００５８】
他の構成は、前述の空気清浄機１〜３と同様である。
【００５９】
（空気清浄機の動作および利点）
上記の構成において、空気清浄機４は、図１５に示すように、運転席の左側のアームレスト５５の上に取り付けて使用する。このような空気清浄機４の配置では、空気清浄機４は、運転席の左側のアームレスト５５からハンドル５４方向への風の流れ９１を生じることができる。
【００６０】
上記のように、空気清浄機４がアームレスト５５からハンドル５４方向への風の流れ９１を生じることにより、ハンドル５４を操作する運転手の手には、虫、特に蚊が近づき難くなる。また、上記の風の流れ９１によって形成される風のカーテンにより、運転手の周りには、虫、特に蚊が近づき難くなる。これにより、運転手が蚊に刺される事態を抑制することができる。空気清浄機４の他の機能は前述の空気清浄機１〜３と同様である。
【００６１】
〔まとめ〕
本発明の態様１に係る空気清浄機１〜４は、空気吸込口（下面吸込口１４）、空気吹出口（吹出口１５）、送風機２３および空気清浄部（フィルタユニット２２）を有し、前記送風機２３が前記空気吸込口から前記空気清浄部を経て前記空気吹出口へ向かう空気の流れを生じさせ、筐体２１の後面側を取付対象物に対向させて取り付けられる空気清浄機１〜４において、前記空気吸込口から前記空気清浄部に至る前記空気の流れの経路に、表面に粘着面を有する捕虫部材（粘着シート２９）が設けられ、前記空気吸込口は、当該空気清浄機の下面に形成されている。
【００６２】
上記の構成によれば、空気清浄機１〜４が運転を開始すると、送風機２３の動作により、空気吸込口（下面吸込口１４）から空気清浄部（フィルタユニット２２）を経て空気吹出口（吹出口１５）へ向かう空気の流れが生じる。したがって、空気清浄機の近くに蚊等の虫が存在していた場合、虫は空気とともに空気吸込口（下面吸込口１４）から空気清浄機１〜４の内部に入り込み、捕虫部材（粘着シート２９）の表面の粘着面により捕捉される。
【００６３】
この場合、空気清浄機の下面は、外光や電灯の光が照射され難いので暗くなっており、虫が寄り付き易い状態である。したがって、空気清浄機は、下面の空気吸込口（下面吸込口１４）から虫が侵入し易く、高い捕虫機能を有する。
【００６４】
本発明の態様２に係る空気清浄機２は、上記態様１において、前記捕虫部材（粘着シート２９）の下方に前記捕虫部材から落下した虫を受け止める虫受部６２ａを備えている構成であってもよい。
【００６５】
上記の構成によれば、空気清浄機２は、捕虫部材（粘着シート２９）の下方に捕虫部材から落下した虫を受け止める虫受部６２ａを備えている。したがって、空気清浄機２が例えば自動車に設置された状態において、捕虫部材に捕捉された虫は、振動によって捕虫部材から落下した場合であっても虫受部６２ａにより受け止められる。これにより、捕虫部材に捕捉された虫が床面へ落下する事態を防止することができる。
【００６６】
本発明の態様３に係る空気清浄機２は、上記態様２において、前記空気吸込口から前記空気清浄部に至る前記空気の流れの経路に着脱自在に設けられた虫受部付基材６２を備え、前記虫受部付基材６２は、下部に前記虫受部６２ａを有し、前記捕虫部材は、表面に前記粘着面を有する粘着シートからなり、前記虫受部付基材６２の前記虫受部６２ａと同じ側の上部に貼り付けられている構成としてもよい。
【００６７】
上記の構成によれば、交換が必要となった捕虫部材（粘着シート２９）を虫受部付基材６２とともに適宜新しいものと交換し、容易に廃棄することができる。これにより、利便性が向上する。
【００６８】
本発明の態様４に係る空気清浄機２は、上記態様３において、本体部１１と、前記本体部１１に対して着脱自在に設けられた前蓋部１２とを備え、前記空気吹出口（吹出口１５）、前記送風機２３および前記空気清浄部（フィルタユニット２２）は前記本体部１１に設けられ、前記空気吸込口（下面吸込口１４）は、前記本体部１１と前記前蓋部１２との間に設けられ、前記虫受部付基材６２は、前記前蓋部１２の裏面に設けられている構成としてもよい。
【００６９】
上記の構成によれば、虫受部付基材６２は前蓋部１２の裏面に設けられ、前蓋部１２は本体部１１に対して着脱自在に設けられている。したがって、前蓋部１２を本体部１１から取り外すことにより、交換が必要となった捕虫部材（粘着シート２９）の交換および廃棄がさらに容易になる。これにより、利便性がさらに向上する。
【００７０】
本発明の態様５に係る空気清浄機１〜４は、上記態様１から４のいずれか一態様において、電源部として電池２４を備えている構成としてもよい。
【００７１】
上記の構成によれば、空気清浄機１〜４は、電源部として電池２４を備えているので、携帯可能であり、例えば自動車の車内など、多様な場所に設置することができる。
【００７２】
本発明の態様６に係る空気清浄機１〜４は、上記態様１から５のいずれか一態様において、前記空気吸込口は、さらに側面に形成されている構成としてもよい。
【００７３】
上記の構成によれば、空気吸込口は、下面に加えて側面にも形成されているので、空気清浄機１〜４は複数の空気吸込口（側面吸込口１３、下面吸込口１４）を有する。これにより、蚊等の虫を複数の空気吸込口から効率よく取り込むことができる。
【００７４】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。さらに、各実施形態にそれぞれ開示された技術的手段を組み合わせることにより、新しい技術的特徴を形成することができる。
【符号の説明】
【００７５】
１〜４    空気清浄機
１１    本体部
１２    前蓋部
１３    側面吸込口（空気吸込口）
１４    下面吸込口（空気吸込口）
１５    吹出口（空気吹出口）
１６    ルーバ
２１    筐体
２１ａ  フィルタ収納部
２１ｂ  被挿入凹部
２１ｃ  嵌合受部
２１ｄ  ベルト取付部
２１ｅ  当接凸部
２２    フィルタユニット（空気清浄部）
２３    送風機
２３ａ  回転翼
２３ｂ  回転翼駆動モータ
２４    電池
２５    イオン発生装置
２６    格子枠
２７    ＵＶランプ
２８    ＵＶランプ駆動回路
２９    粘着シート（捕虫部材）
４１    挿入凸部
４２    嵌合部
５１    自動車
５２    座席
５３    ヘッドレスト（取付対象物）
５４    ハンドル
５５    アームレスト（取付対象物）
６１    虫受部付捕虫部材
６２    虫受部付基材
６２ａ  虫受部
６２ｂ  粘着シート貼付部
６２ｃ  取付鉤部
７１    鉤部挿入部
８１，９２    ルーバ
８２    ルーバ駆動モータ
８３    制御部
８４    操作入力部
８５    受信部
８６    リモートコントローラ
９１    風の流れ
【図１】
2017217981.tif 000003
【図２】
2017217981.tif 000004
【図３】
2017217981.tif 000005
【図４】
2017217981.tif 000006
【図５】
2017217981.tif 000007
【図６】
2017217981.tif 000008
【図７】
2017217981.tif 000009
【図８】
2017217981.tif 000010
【図９】
2017217981.tif 000011
【図１０】
2017217981.tif 000012
【図１１】
2017217981.tif 000013
【図１２】
2017217981.tif 000014
【図１３】
2017217981.tif 000015
【図１４】
2017217981.tif 000016
【図１５】
2017217981.tif 000017